(57)【要約】【課題】通風抵抗の上昇を抑えて、省エネ効果が得られる風向調整装置、および該風向調整装置が設置された空気調和機の室内機を得る。【解決手段】風向調整装置２００は、基台４０と、基台４０に基準回転中心Ａにおいて回転自在に設置された第１風向板１２と、第１風向板１２に連結回転中心Ｂにおいて回転自在に設置された第２風向板２２と、第１風向板１２が第１回転中心Ｃにおいて、且つ、第２風向板２２が第２回転中心Ｄにおいて、それぞれ回転自在に設置された移動部材３０と、移動部材３０を基台４０に対して相対移動させる駆動手段５０と、を有し、移動部材３０が相対移動する量に応じて、基準回転中心Ａと連結回転中心Ｂとを結ぶ第１仮想線Ｌ１と、連結回転中心Ｂと第２回転中心Ｄとを結ぶ第２仮想線Ｌ２と、がなす角度が変動する。【選択図】図４
2011027302.tif 000002
【特許請求の範囲】
【請求項１】
基台と、  
該基台に基準回転中心において回転自在に設置された第１ベーンと、
該第１ベーンに連結回転中心において回転自在に設置された第２ベーンと、
前記第１ベーンが第１回転中心において、且つ、前記第２ベーンが第２回転中心において、それぞれ回転自在に設置された移動部材と、
該移動部材を前記基台に対して相対移動させる駆動手段と、
を有し、
前記移動部材が相対移動する量に応じて、前記基準回転中心と前記連結回転中心とを結ぶ第１仮想線と、前記連結回転中心と前記第２回転中心とを結ぶ第２仮想線と、がなす角度が変動することを特徴とする風向調整装置。
【請求項２】
基準軸と、該基準軸の中心線を含む平面で、一方の側縁から前記中心線に向かって陥入する切欠部を具備する第１風向板と、前記切欠部で前記一方の側縁の近くに突出して形成され、前記基準軸の中心線と平行な中心線を具備する一対の連結軸と、前記切欠部に突出して形成され、前記基準軸と前記連結軸との間に配置された第１移動軸と、を有する第１部材と、
前記基準軸を回転自在に支持する基台と、
前記一対の連結軸を回転自在に支持する一対の連結軸受と、該連結軸受の中心線を含む平面で、前記連結軸受の側面の一方側に突出して形成された第２風向板と、前記連結軸受の側面の他方側に突出して形成された突出部と、該突出部に形成された第２移動軸と、を有する第２部材と、
前記基台に対して相対移動自在で、前記第１移動軸を回転自在に支持する第１移動軸受と、前記第２移動軸を回転自在に支持する第２移動軸受と、を有する移動部材と、
前記移動部材を前記基台に対して相対移動させる駆動手段と、
を有し、
前記第１移動軸受と前記第２移動軸受とが、前記移動部材の前記基台に対する相対移動の方向に垂直方向で所定の距離だけ離れていることを特徴とする風向調整装置。
【請求項３】
前記第２移動軸受が、前記移動部材の前記基台に対する相対移動の方向に垂直方向に延長された長孔であることを特徴とする請求項２記載の風向調整装置。
【請求項４】
前記突出部に当接突起が形成され、前記第１風向板と前記第２風向板とが略同一面に位置するとき、前記当接突起が前記切欠部に当接すること特徴とする請求項２または３記載の風向調整装置。
【請求項５】
吸引口および吹出口を具備する本体と、
前記吸引口から前記吹出口に至る風路を形成する送風手段と、
前記風路内に配置された熱交換手段と、
前記風路内に配置された請求項１乃至４の何れかに記載の風向調整装置と、
を有することを特徴とする空気調和機の室内機。
【発明の詳細な説明】
【技術分野】
【０００１】
本発明は風向調整装置および空気調和機の室内機、特に、空気調和機の室内機に設置される風向調整装置、および該風向調整装置が設置された空気調和機の室内機に関するものである。
【背景技術】
【０００２】
空気調和機の室内機（室内ユニットに同じ）の吹出口には、冷却または加熱された空気の吹き出し方向を調整する風向調整装置が設置されている。かかる風向調整装置は、古くは、湾曲自在な軟質部を有する風向板（垂直フラップに同じ）を備え、軟質部を湾曲させることによって吹き出し方向を調整するものが開示されている（例えば、特許文献１参照）。
また、互いに平行に配置された駆動アームおよび従動アームと、駆動アームおよび従動アームに両端部が回動自在に接続された第一列の複数枚の風向板（ベーン）と、駆動アームおよび従動アームに両端部が回動自在に接続された第二列の複数枚の風向板（ベーン）と、を有し、駆動アーム、従動アームおよび第一列の複数枚の風向板によって形成される平行四辺形の傾斜角（底辺と斜辺とがなす角度）と、駆動アーム、従動アームおよび第二列の複数枚の風向板によって形成される平行四辺形の傾斜角とを相違させることによって、吹き出し方向を調整するものが開示されている（例えば、特許文献２参照）。
【先行技術文献】
【特許文献】
【０００３】
【特許文献１】実開平３−３７３５１号公報（第６−８頁、第３図）
【特許文献２】特開２００７−１３２６３６号公報（第５頁、第６図）
【発明の概要】
【発明が解決しようとする課題】
【０００４】
特許文献１に開示された風向板は、両端に配置される剛質部に挟まれた軟質部は、湾曲自在および伸縮自在であるため、風向板を形成する材料が限定されると共に、剛質部と軟質部との接合面が剥離するおそれがあった。このため、製造コストが上昇すると共に、信頼性が低下するという問題があった。
一方、特許文献２に開示された第一列の風向板および第一列の風向板は、何れも一体的に成形されるため、前記問題は解消される。しかしながら、第一列の風向板と第二列の風向板とが、互いに千鳥状に配置、すなわち、吹き出し方向に垂直な面において、所定の間隔を空けて配置されている。このため、空気流が、第一列の風向板の風上側の端面と第二列の風向板の風上側の端面との両方に衝突し、通風抵抗が大きくなって、エネルギー損失が生じるという問題があった。
【０００５】
本発明は、上記のような課題を解決するためになされたものであって、通風抵抗の上昇を抑えて、省エネ効果が得られる風向調整装置、および該風向調整装置が設置された空気調和機の室内機を得るものである。
【課題を解決するための手段】
【０００６】
本発明に係る風向調整装置は、基台と、
該基台に基準回転中心において回転自在に設置された第１ベーンと、
該第１ベーンに連結回転中心において回転自在に設置された第２ベーンと、
前記第１ベーンが第１回転中心において、且つ、前記第２ベーンが第２回転中心において、それぞれ回転自在に設置された移動部材と、
該移動部材を前記基台に対して相対移動させる駆動手段と、
を有し、
前記移動部材が相対移動する量に応じて、前記基準回転中心と前記連結回転中心とを結ぶ第１仮想線と、前記連結回転中心と前記第２回転中心とを結ぶ第２仮想線と、がなす角度が変動することを特徴とする。
【発明の効果】
【０００７】
本発明に係る風向調整装置は、第１ベーンが移動部材の移動によって基準回転中心を支点に、第１回転中心を力点にして回転され、連結回転中心が円弧状の軌跡を描いて移動する。同様に、第２ベーンは移動部材の移動によって連結回転中心を支点に、第２回転中心を力点にして回転される。
このとき、第１ベーンと第２ベーンとが共に連結回転中心において回転自在に連結されているため、第１ベーンと第２ベーンとは、あたかも一枚の板であるかのように挙動する。特に、正面方向に吹き出す際、第１ベーンと第２ベーンとが重なって１枚の平板状を呈するから、空気は第１ベーンまたは第２ベーンの一方の端面に衝突するだけであって、従来の千鳥配置の場合のように、第１ベーンおよび第２ベーンの双方の端面に衝突するようなことがない。したがって、空気流は滑らかとなって、通風抵抗の上昇が抑えられ、省エネ効果が得られる。
なお、前記では、第２ベーンは、連結回転中心を支点にして第２回転中心を力点にして回転されるとしているが、連結回転中心を力点にして第２回転中心を支点にして回転されるとみなしてもよい。
【図面の簡単な説明】
【０００８】
【図１】本発明の実施の形態１に係る空気調和機の室内機を説明する、（ａ）は略正面から見た外観図、（ｂ）は真下から真上に向かって見た外観図。
【図２】図１に示す室内機を説明する構成部材を分解して示す斜視図。
【図３】図１に示す室内機を説明する側面視の断面図。
【図４】本発明の実施の形態２に係る風向調整装置を模式的に示す側面図。
【図５】図４に示す風向調整装置を説明する構成部材を分解して示す斜視図。
【図６】図４に示す風向調整装置の組立状況を示す斜視図。
【図７】図４に示す風向調整装置のリンク機構を説明する平面図。
【発明を実施するための形態】
【０００９】
［実施の形態１］
（空気調和機の室内機）
図１〜図３は本発明の実施の形態１に係る空気調和機の室内機を説明するものであって、図１の（ａ）は略正面から見た外観図、（ｂ）は真下から真上に向かって見た外観図、図２は構成部材を分解して示す斜視図、図３は側面視の断面図である。なお、各図は模式的に描いたものであって、本発明は図示された形態に限定するものではない。
図１〜図３において、空気調和機の室内機（以下「室内機」と称す）１００は、吸引口１１１および吹出口１１２を具備する本体１１０と、吸引口１１１から吹出口１１２に至る風路１１３を形成する送風手段１２０と、風路１１３内に配置された熱交換手段１３０と、風路１１３内に配置された左右風向調整装置（以下、「風向調整装置」と称す）２００と、を有している。
【００１０】
本体１１０は、室内の壁等に固定される基台１１４（以下、基台１１４側を「後面」と称す）と、基台１１４に固定される筐体１１５と、筐体１１５の前面に着脱自在かつ回動自在に設置される前面意匠パネル１１６と、を具備している。筐体１１５の上面には吸引口１１１が形成され、筐体１１５の下面（上面の一部を含む）には吹出口１１２が形成され、基台１１４の一部が風路１１３の一部（後面側）を形成している。
また、吹出口１１２には、前面上下風向ベーン３０１と底面上下風向ベーン３０２とを具備する上下風向調整装置３００が設置されている。
【００１１】
熱交換手段１３０は後面側部分と前面側部分とを具備し、風路１１３の送風手段１２０よりも上流側に配置され、図示しない室外機から供給される冷媒が流通する伝熱管１３１と、伝熱管１３１が貫通する複数枚の放熱フィン１３２とを具備している。
そして、熱交換手段１３０の前面側部分の下方には、ドレンパンユニット１４０が設置されている。ドレンパンユニット１４０は熱交換手段１３０から滴下したドレンを受け止めるドレンパン上面１４１と、風路１１３の一部（前面ないし下面側）を形成するドレンパン下面１４２と、を具備している。
【００１２】
そして、ドレンパン下面１４２に風向調整装置２００が設置されている。風向調整装置２００は実施の形態２において詳細に説明する風向調整装置２００であるため、実施の形態１においては簡単に説明する。すなわち、風向調整装置２００は、ドレンパン下面１４２に設置された基台４０と、基台４０に基準回転中心Ａにおいて回転自在に設置された第１部材１０と、第１部材１０に回転自在に設置された第２部材２０とを有している。
このとき、風路１１３に対してなす第１部材１０の角度と、風路１１３に対してなす第２部材２０の角度とが相違しているから、たとえば、上流側に配置された第２部材２０の角度は小さく、下流側に配置された第１部材１０の角度を大きくすることができ、空気流れを左右方向の所望の方向に滑らかに変更することができる。したがって、通風抵抗の上昇が抑えられ、省エネ効果が得られる（これについては、実施の形態２において詳細に説明する）
【００１３】
なお、以下の説明の便宜上、基準回転中心Ａの方向を「Ｚ方向」、Ｚ方向に垂直で本体１１０の幅方向を「Ｘ方向」、Ｚ方向に垂直で本体１１０の略前後方向（正確には、前面かつ下面に向かった傾斜している方向）を「Ｙ方向」と定義する（実施の形態２においても同様）。したがって、図１の（ａ）は正面側から「−Ｙ方向」に見た外観図であり、図１の（ｂ）は、図３の紙面の下方から上方に（本体１１０の真下から真上に）向かって見た外観図である。
【００１４】
さらに、基台１１４には、電気品箱１１７が装着されている。また、風路１１３の吸引口１１１の近くにはフィルター１５１が着脱自在かつ移動自在に設置されている。室内機１００はフィルター自動清掃装置ユニット１５０を具備するため、前面寄りの位置に、フィルター１５１から落下した塵埃を貯溜するためのダストボックス１５２が設置されている。
また、室内機１００には、運転状況等を前面意匠パネル１１６に表示する表示装置１６１と、室内に居る人間の位置（人間の不在を含む）を検知する赤外線センサー１６２と、が幅方向の略中央に設置されている。
なお、本発明は、フィルター自動清掃装置ユニット１５０、表示装置１６１、あるいは赤外線センサー１６２の設置を必須とするものではないから、これらの設置を省略してもよい。
【００１５】
［実施の形態２］
（風向調整装置）
図４〜図７本発明の実施の形態２に係る風向調整装置を説明するものであって、図４は模式的に示す側面図、図５は構成部材を分解して示す斜視図、図６は組立状況を示す斜視図（正面吹き、および斜め吹き）、図７はリンク機構を説明する平面図（正面吹き、および斜め吹き）である。なお、各図は模式的に描いたものであって、本発明は図示された形態に限定するものではない。
図４〜図７において、風向調整装置２００は、第１部材１０と、第２部材２０と、移動部材３０と、基台４０と、駆動手段５０と、を組み立てたものである。基台４０は、室内機１００（実施の形態１）のドレンパン下面１４２に設置されるものである。
【００１６】
（第１部材）
第１部材１０は、基準軸１１と、基準軸１１の中心線（以下、「基準回転中心Ａ」と称す）を含む平面で、板状の第１風向板（第１ベーンに同じ）１２と、を有している。第１風向板１２には、一方の側縁１３から基準回転中心Ａに向かって陥入する切欠部１４が形成されている。
また、切欠部１４の下端縁１４ａで一方の側縁１３の近くに上端縁１４ｂに向かって突出して形成され、基準回転中心Ａと平行な中心線（以下、「連結回転中心Ｂ」と称す）を具備する下連結軸１５ａと、切欠部１４の上端縁１４ｂで一方の側縁１３の近くに下端縁１４ａに向かって突出して形成され、下連結軸と同一の中心線（連結回転中心Ｂ）を具備する上連結軸１５ｂが設けられている。なお、下連結軸１５ａおよび上連結軸１５ｂをまとめて「連結軸１５」と称す場合がある。
【００１７】
さらに、切欠部１４の下端縁１４ａに上端縁１４ｂに向かって突出して形成され、基準軸１１と下連結軸１５ａとの間に配置された第１移動軸１６が設けられている（以下、第１移動軸１６の軸心を「第１回転中心Ｃ］と称す）。また、下連結軸１５ａおよび上連結軸１５ｂには、それぞれ連結回転中心Ｂに垂直な上端面および下端面を具備する下連結座１５ｃおよび上連結座１５ｄが設けられ、第１移動軸１６には第１回転中心Ｃに垂直な上端面を具備する第１移動座１６ｃが設けられている。
なお、第１風向板１２の板厚は全域で均一ではなく、切欠部１４の周囲において厚く、特に、切欠部１４の上端縁１４ｂにおいては第１風向板１２の面に垂直方向にフランジ状に突出したテーブル状を呈している。このとき、本発明は第１部材１０の形態を図示するものに限定するものではなく、組み立てられて使用される際の、第１部材１０の各部に作用する力や空気流との関係において決定される設計的事項である。また、第１部材１０の数量は限定するものではない。
【００１８】
（第２部材）
第２部材２０は、下連結軸１５ａおよび上連結軸１５ｂを回転自在に支持する同一の中心線（組立状態において連結回転中心Ｂに一致する）を具備する下連結軸受２５ａおよび上連結軸受２５ｂと、下連結軸受２５ａおよび上連結軸受２５ｂの中心線を含む平面で、下連結軸受２５ａおよび上連結軸受２５ｂの側面の一方側に突出して形成された第２風向板（第１ベーンに同じ）２２とを有している。なお、下連結軸受２５ａおよび上連結軸受２５ｂをまとめて「連結軸受２５」と称す場合がある。
また、下連結軸受２５ａおよび上連結軸受２５ｂの側面の他方側（第２風向板２２とは反対の方向）に突出する突出部２４が設けられ、突出部２４の下面には第２移動軸２６（以下、第２移動軸２６の軸心を「第２回転中心Ｄ」と称す）が、突出部２４の上面には当接突起２７が、それぞれ設けられている。
【００１９】
そして、下連結軸受２５ａの上端面、上連結軸受２５ｂの下端面、および突出部２４の下面は、それぞれ両者の中心線（組立状態において連結回転中心Ｂに一致する）に垂直に形成されている。
したがって、組立状態において、第１部材１０の下連結座１５ｃの上端面および上連結座１５ｄの下端面は、それぞれ第２部材２０の下連結軸受２５ａの上端面および上連結軸受２５ｂの下端面に当接する（なお、図４においては、各部の組立状態の理解を容易にするため、かかる当接する部材間に隙間を設けて描いている）。
【００２０】
（移動部材）
移動部材３０は、長手方向が組立状態においてＸ方向に一致する移動本体部３３と、移動本体部３３に対して垂直方向（組立状態においてＹ方向）に突出した移動腕部３４と、を有している。そして、移動本体部３３には第１移動軸受３１が、移動腕部３４には第２移動軸受３２が、それぞれ形成されている。
第１移動軸受３１は、組立状態において、第１部材１０の第１移動軸１６を回転自在に支持するものであって、移動本体部３３の下面は、少なくとも第１移動座１６ｃの上端面が当接する範囲が第１移動軸受３１の軸心に垂直な平面に形成されている。したがって、組立状態において、第１部材１０の第１移動座１６ｃの上端面は移動本体部３３の下面に当接する（なお、図４においては、各部の組立状態の理解を容易にするため、かかる当接する部材間に隙間を設けて描いている）。
また、第１移動軸受３１の長手方向の両側には、貫通するスリット状の移動溝３１ａが形成され、第１移動軸受３１への第１移動軸１６の設置（陥入）を容易にしている。
【００２１】
一方、第２移動軸受３２は、組立状態において、第２部材２０の第２移動軸２６を回転自在およびＹ方向に移動自在に支持するものであって、Ｙ方向に長い長孔である。また、組立状態において、移動腕部３４の上面の少なくとも第２移動軸受３２の周囲は第１移動軸受３１の軸心に垂直な平面に形成されている。
このとき、組立状態において、移動腕部３４の上面は、第２部材２０の突出部２４の下面が当接する（なお、図４においては、各部の組立状態の理解を容易にするため、かかる当接する部材間に隙間を設けて描いている）。
【００２２】
（駆動手段）
さらに、移動本体部３３の一方の端部には、連結棒５１の一方の端部が回転自在に接続され、連結棒５１の他方の端部には、モーター連結部材５２が回転自在に接続されている。
モーター連結部材５２は、モーター５３の出力軸に接続されるモーター接続部５２ａと、モーター接続部５２ａに固定され、先端が連結棒５１に接続されるモーター連結アーム５２ｂと、を有している。
したがって、モーター５３が回転すると、モーター連結棒は並進運動をすることになる。なお、モーター連結部材５２は前記構成に限定するものではなく、ラック／ピニオン構造でもよい。また、モーター５３に替えて、ソレノイド等のアクチュエータを設置してもよい。
【００２３】
また、図４に示す組立状態において、第１移動軸１６が第１移動軸受３１を貫通して移動本体部３３の上面から突出しているため、第１移動軸１６と第２部材の突出部２４との干渉を回避するため、かかる突出量よりも僅かに大きい量、移動腕部３４の上面が移動本体部３３の上面から突出している。このとき、移動本体部３３と移動腕部３４との厚さを同じにしたり（移動本体部３３の下面と移動腕部３４の下面との間に段差が生じる）、移動本体部３３を第１移動軸１６の全長を収納自在な厚さにしたり（移動本体部３３の上面と移動腕部３４の上面との間に段差が無くなり、重量が増加する）してもよい。
【００２４】
（基台）
基台４０は、組立状態において、基準軸１１の端面を基準回転中心Ａに対して垂直に支持する支持面４１と、基準軸１１が基台４０から離脱しないように、且つ、基準軸１１を基準回転中心Ａを中心に回転自在に保持する保持手段（基準軸１１の側面に突出して形成された円盤状の基準軸フランジ１１ａを包囲する爪）４２とを有している。
また、基台４０の一方の端部には、ドレンパン下面１４２に回転自在に係止する回転係止部４３が、他方の端部には、ドレンパン下面１４２に設置された基台４０が回転しないように固定するための固定係止部４４が、設けられている。
すなわち、後記するように、室内機１００の運転中は、基台４０は風路１１３に対して垂直方向（Ｘ方向）に設置され、室内機１００を清掃する際には、風路１１３に対して平行に設置され、一部は、吹出口１１２から本体１１０の外部に突き出すようにすることが可能になっている。
【００２５】
（素材）
以上は、基台４０はＰＰ樹脂、第１部材１０はＡＢＳ樹脂、第２部材２０はＰＯＭ樹脂、移動部材３０はＰＰ樹脂によって、それぞれ形成し、連結される樹脂同士を異種材料としている。本発明はこれらの部材を形成する素材を前記組み合わせに限定するものではなく、他の組み合わせでもよい。また、同一材料同士が連結される（当接する）ようにして、転結部（当接部）に潤滑手段を設置する（潤滑材の塗布する）等をしてもよい。
【００２６】
（動作−正面吹き）
図６の（ａ）および（ｂ）において、風向調整装置２００は、第１部材１０の基準軸１１（基準回転中心Ａ）、第１移動軸１６（第１回転中心Ｃ）および連結軸１５（連結回転中心Ｂ）がＹ方向で一直線上に位置している。また、第１部材２０の、第２移動軸２６（第２回転中心Ｄ）および連結軸受２５（連結回転中心Ｂ）がＹ方向で一直線上に位置している。
したがって、第１風向板１２と第２風向板２２とは、Ｙ方向で一直線上に並んでいる。このとき、第１風向板１２の一方の側縁１３と第２風向板２２の他方の側縁２３とは近接しているから、両者はあたかも一枚の平板のような形態を呈している。
したがって、空気は第２風向板２２の風上側の端面に衝突するだけであって、従来の千鳥配置（所定の間隔を空けて平行に配置されている）の場合のように第１風向板１２および第２風向板２２の双方の端面に衝突するようなことがない。したがって、空気流は滑らかとなって、通風抵抗の上昇が抑えられ、省エネ効果が得られる。
【００２７】
すなわち、第２風向板２２を風路１１３の上流側に、第１風向板１２を風路１１３の下流側に配置すれば、空気流は両者の側縁に衝突したり、両者の側縁から剥離したりすることがないから、通風抵抗の上昇が抑えられ、省エネ効果が得られる。
このとき、第１風向板１２および第２風向板２２は何れも、一方の面（たとえば、＋Ｘ方向側の面）が正圧面（流速が速い）に、他方の面（たとえば、−Ｘ方向側の面）が負圧面（流速が遅い）に、明りょうになるものではないため、流れのバラツキによって、第１風向板１２または第２風向板２２の一方または両方に振動が生じる場合がある。しかしながら、風向調整装置２００は、正面吹きのとき、第２部材２０の当接突起２７が、第１部材１０の切欠部１４の上端縁１４ｂに当接しているから、かかる振動が抑えられている。
【００２８】
（動作−斜め吹き）
図７の（ａ）および（ｂ）において、風向調整装置２００の第１部材１０は、移動部材３０（第１移動軸受３１）が−Ｘ方向に移動させられているから、第１移動軸１６（第１回転中心Ｃ）および連結軸１５（連結回転中心Ｂ）は、固定点である基準軸１１（基準回転中心Ａ）に対してそれぞれ円弧状の軌跡を描いて、主に−Ｘ方向に移動している。そして、基準軸１１（基準回転中心Ａ）、第１移動軸１６（第１回転中心Ｃ）および連結軸１５（連結回転中心Ｂ）を結ぶ第１仮想線Ｌ１が、Ｙ方向に対して「角度（以下、「第１傾斜角度」と称す）φ」傾斜している。
一方、第２部材２０は、連結軸受２５が連結軸１５と同様に移動する。また、第２移動軸２６（第２回転中心Ｄ）は第１移動軸１６と同じ距離だけ−Ｘ方向に移動すると共に、第２移動軸受３２内を−Ｙ方向に移動している。したがって、連結軸受２５（第２連結回転中心Ｂ）と第２移動軸２６（第２回転中心Ｄ）とを結ぶ第２仮想線Ｌ２は、Ｙ方向に対して「角度（以下、「第２傾斜角度」と称す）θ」傾斜している。
【００２９】
そして、第１風向板１２の一方の側縁１３と第２風向板２２の他方の側縁２３とは近接しているから、両者はあたかも一枚の平板が連結軸１５（連結軸受２５）において、折れ曲がったような形態を呈している。
すなわち、正面吹き同様に、第２風向板２２を風路１１３の上流側に、第１風向板１２を風路１１３の下流側に配置すれば、空気流は両者の側縁に衝突したり、両者の側縁から剥離したりすることがないから、通風抵抗の上昇が抑えられ、省エネ効果が得られる。
このとき、第２部材２０の当接突起２７が、第１部材１０の切欠部１４の上端縁１４ｂから離れているが、第１風向板１２および第２風向板２２は何れも、一方の面（たとえば、＋Ｘ方向側の面）が正圧面（流速が速い）に、他方の面（たとえば、−Ｘ方向側の面）が負圧面（流速が遅い）に、明りょうになるため、空気流にバラツキが生じても、第１風向板１２または第２風向板２２の一方または両方に振動が生じることはない（少ない）。  
【００３０】
図７の（ｂ）において、第１部材１０の第１移動軸１６と連結軸１５との中心間距離を「ｍ」、第２部材２０の第２移動軸２６と連結軸受２５との中心間距離を「ｎ」とすると、両者には
ｍ・ｓｉｎ（φ）＝ｎ・ｓｉｎ（θ）・・・・・・式（１）
の関係がある。
したがって、たとえば、下流側の配置される第１風向板１２の風路１１３に対する第１傾斜角度φを、上流側の配置される第２風向板１２の風路１１３に対する第２傾斜角度θの「２倍」にするには、
ｍ・ｓｉｎ（２・θ）＝ｎ・ｓｉｎ（θ）・・・・・・式（２）
ｎ／ｍ＝２・ｃｏｓ（θ）              ・・・・・・式（３）
の関係があればよい。
【００３１】
したがって、角度θを「−３０°〜＋３０°（−３＜θ＜＋３０）」で変更する場合、たとえば、「ｃｏｓ（２０°）＝０．９４０」を代入して、
ｎ／ｍ＝１．８８                      ・・・・・・式（４）
となる。
また、第２移動軸受２６のＹ方向の長さ「ｐ」は、
ｐ＝ｎ・（ｃｏｓ（０°）−ｃｏｓ（３０°））  ・・・・・・式（５）
ｐ＝ｎ・（１−０．８６６）＝０．１３・ｎ      ・・・・・・式（６）
となる（なお、ｎ／ｍを固定すると、φ／θの値が僅かに変動するから、式（６）は厳密には正確でない）。
【００３２】
以上説明した、風向調整装置２００において、たとえば、連結軸１５の中心と連結軸受２５と中心とが連結回転中心Ｂにおいて一致しているとか、連結回転中心Ｂに垂直な上端面および下端面を具備する下連結座１５ｃおよび上連結座１５ｄが設けられるとか、記載されているが、かかる「一致」や「垂直」は幾何学的に厳密な「一致」や「垂直」を指すものではなく、工業的に許容される誤差を含むものである。
また、軸と該軸を支持する軸受との設置場所については、設置位置を入れ替えてもよい。たとえば、第１部材に連結軸１５を設けて第２部材に連結軸受２５を設けているのに替えて、第２部材に連結軸を設けて第２部材に該連結軸を支持する連結軸受を設けてもよい。
さらに、第１移動軸１６を切欠部１４の上端縁１４ｂに設置して、移動部材３０を第２部材２０の突出部２４の上方に配置してもよい。このとき、第２移動軸２６は突出部２４の上面に設けられる。
【００３３】
図１の（ｂ）において、室内機１００は停止し、風向調整装置２００は吹出口１１２から外側に突き出している。すなわち、基台４０の固定係止部４４がドレンパン下面１４２から離され、回転係止部４３を中心に回転している。したがって、左右に配置された一対の風向調整装置２００は観音開き状に開いている。よって、本体１１０の内部の清掃や風向調整装置２００自体の清掃が容易になる。
【産業上の利用可能性】
【００３４】
本発明によれば、通風抵抗の上昇を抑えて、空気の吹き出し方向を設定（変更）することができるため、省エネ性に優れているから、空気吹出口に設置される各種風向調整装置として、また、該風向調整装置が設置される各種空気調和機の室内機として、広く利用することができる。
【符号の説明】
【００３５】
１０；第１部材、１１；基準軸、１１ａ；基準軸フランジ、１２；第１風向板、１３；側縁、１４；切欠部、１４ａ；下端縁、１４ｂ；上端縁、１５ａ；下連結軸、１５ｂ；上連結軸、１５ｃ；下連結座、１５ｄ；上連結座、１６；第１移動軸、１６ｃ；第１移動座、２０；第２部材、２２；第２風向板、２３；側縁、２４；突出部、２５ａ；下連結軸受、２５ｂ；上連結軸受、２６；第２移動軸、２７；当接突起、３０；移動部材、３１；第１移動軸受、３１ａ；移動溝、３２；第２移動軸受、３３；移動本体部、３４；移動腕部、４０；基台、４１；支持面、４３；回転係止部、４４；固定係止部、５０；駆動手段、５１；連結棒、５２；モーター連結部材、５２ａ；モーター接続部、５２ｂ；モーター連結アーム、５３；モーター、１００；室内機、１１０；本体、１１１；吸引口、１１２；吹出口、１１３；風路、１１４；基台、１１５；筐体、１１６；前面意匠パネル、１１７；電気品箱、１２０；送風手段、１３０；熱交換手段、１３１；伝熱管、１３２；放熱フィン、１４０；ドレンパンユニット、１４１；ドレンパン上面、１４２；ドレンパン下面、１５０；フィルター自動清掃装置ユニット、１５１；フィルター、１５２；ダストボックス、１６１；表示装置、１６２；赤外線センサー、２００；風向調整装置、３００；上下風向調整装置、３０１；前面上下風向ベーン、３０２；底面上下風向ベーン、Ａ；基準回転中心、Ｂ；連結回転中心、Ｃ；第１回転中心、Ｄ；第２回転中心、Ｌ１；第１仮想線、Ｌ２；第２仮想線、φ；第１傾斜角度、θ；第２傾斜角度。
【図１】
2011027302.tif 000003
【図２】
2011027302.tif 000004
【図３】
2011027302.tif 000005
【図４】
2011027302.tif 000006
【図５】
2011027302.tif 000007
【図６】
2011027302.tif 000008
【図７】
2011027302.tif 000009